(57)【特許請求の範囲】
【請求項１】
再閉可能なパッケージが、
前面及び背面と；
第一異形材と第二異形材とを有するジッパーであって、各々の該異形材がお互いに咬合するのに使用される咬合部材を含んでいて、該第一異形材は第一フランジ部分を含み、さらに該第二異形材は第二フランジ部分を含んでおり、該第一フランジ部分及び該第二フランジ部分はお互いに独立したものであって、該第一フランジ部分が該面の一方の上面端部に近位な位置において該面の該一方に取りつけられ、さらに該第二フランジ部分が、該面の他方と、該第一フランジ部分が該面の該一方に取りつけられた該位置の下方における位置において該面の該一方とに取りつけられているジッパーと；
該第二フランジ部分に沿って該第二異形材の該咬合部材に平行に延在している弱め線と；
を具備している再閉可能なパッケージ。
【請求項２】
該弱め線が、切りめ線を構成していて、さらに該切りめ線を覆いかつシールしている破れやすいキャップ帯を具備しており、該キャップ帯の強度が該第二フランジ部分より弱いところの、請求項１に記載の再閉可能なパッケージ。
【請求項３】
該第二フランジ部分が、該面の該他方における上面端部に近位な位置において、該面の該他方に取りつけられているところの、請求項１に記載の再閉可能なパッケージ。
【請求項４】
該弱め線が、該面の該一方と該面の該他方とに対する該第二フランジ部分の取りつけ位置における実質的に中間にあるところの、請求項１に記載の再閉可能なパッケージ。
【請求項５】
該弱め線が、該面の該一方に対する該第二フランジ部分の取りつけ位置に近位であるところの、請求項１に記載の再閉可能なパッケージ。
【請求項６】
該破れやすいキャップ帯が、該第二フランジ部分の製品側に配置されているところの請求項２に記載の再閉可能なパッケージ。
【請求項７】
該破れやすいキャップ帯が、該第二フランジ部分の製品側に対向する該第二フランジ部分に配置されているところの、請求項２に記載の再閉可能なパッケージ。
【請求項８】
該異形材の咬合部材の周囲に配置されたスライダーをさらに具備していて、該スライダーが、第一方向に移動する場合該咬合部材と係合し、反対方向に移動する場合該咬合部材との係合から外れるようになっている、請求項２に記載の再閉可能なパッケージ。
【請求項９】
該第二フランジ部分が、内部バリヤー層と外部シール層とを有する積層体材料で作られているところの、請求項１に記載の再閉可能なパッケージ。
【請求項１０】
該第二フランジ部分が、高温用内部層を有する積層体材料で作られているところの、請求項１に記載の再閉可能なパッケージ。
【請求項１１】
該第二フランジ部分が該面の間でＶ字形区画を形成していて、該弱め線が実質的に該Ｖ字形区画の先端にあるところの、請求項１に記載の再閉可能なパッケージ。
【発明の詳細な説明】
【０００１】
【発明の属する技術分野】
本発明は、再閉可能なプラスチックバッグに関するもので、とくに主にパッケージ容器として使用されるようになっているバッグに関する。
【０００２】
【従来の技術】
再閉可能なバッグは、主にパッケージ容器として、とくに穀物、新鮮な野菜、スナック等の食料品用のパッケージ容器として、広く受け入れられていることがわかる。そのようなバッグは消費者に対して、パッケージを開いた後でもパッケージされた製品の残り部分を、たとえシールされていなくても閉じたパッケージに容易に保管出来ることを提供している。食料品用に主にパッケージとして受け入れられるためには、消費者を守り、かつ入っている製品の安全性を確保するために、パッケージは何らかの形で開けたことが証拠に残るようになっていることが事実上必須である。つけ加えて多くの場合、食料品は密閉してパッケージされていることが必要である。このことは、適切なバリヤー特性を有するフィルムからなるプラスチックバッグを作ることにより容易に達成される。しかしながら、ジッパーを備えているバッグにおいて、ジッパーにより閉じるべき開口部を適切にシールすることに問題が生じている。というのはジッパー自身が密閉シールを提供できないからである。
【０００３】
米国特許第５０２３１２２号において、再閉可能な容器を作るのに使用されるプラスチックフィルムシートが開示されている。プラスチックシートフィルムは、異形材とフィルムシートを貫通する切り取り用ミシン目線とを含んでいる。破れやすいキャップ帯が、ミシン目を覆っていて、ミシン目を通しての空気及び水分の通過を防止する不浸透性シールを提供している。帯はフィルムより弱くて、フィルムはミシン目に沿って破られ、キャップ帯が破ったフィルムとともに全長にわたって分かれる。
【０００４】
【発明が解決しようとする課題】
以上を考慮して、本発明における主な目的は、開いた証拠が残りかつ密閉シールできる、再閉可能なバッグを提供することである。
さらなる目的は、バッグのジッパーが必要に応じてスライダーを容易に備えることのできるバッグを提供することである。
【０００５】
【課題を解決するための手段】
本発明は、ユニークなバッグ形状において、前述のキャップされたミシン目又は弱くした他の形状の帯を使用している。従って、本発明において提供されるバッグは、底面と側面とに沿って接続した、前面及び背面と、上面における開口部とを有している。バッグ上面に備えられたジッパーは、第一異形材と第二異形材とを有していて、両方の異形材はお互いに咬合するようになった咬合部材を有している。各々の異形材が少なくとも一つのフランジを含んでいて、その一つのフランジは異形材の咬合部材の下方からバッグ内部に向けて延伸している。フランジはサイズが等しくなくて、短かいフランジはバッグ面の一方に直接シールされている。長いフランジは、バッグ面の他方と、短かいフランジがバッグ面の一方にシールされている位置の下方におけるバッグ面の一方とにシールされている。前述のキャップされたミシン目のような弱め線（ｌｉｎｅ  ｏｆ  ｗｅａｋｎｉｎｇ）が、長いフランジにおいて、フランジが二つの面にシールされている位置の間に備えられている。キャップされたミシン目あるいは他の形状の弱め線はフランジ断面を弱くしていて、容易に破ることができて、完全に破れるまでフランジ断面におけるバリヤー特性を減ずるものではない。
【０００６】
【発明の実施の形態】
図１において本発明におけるパッケージ１０が示めされていて、そのパッケージはバッグの底面１６及び両側面１８，２０に接続する前面及び背面１２，１４を具備している。バッグ上面２２が、ジッパーの開閉を容易にするためにスライダー２７を有する、ジッパー２４を備えている。ジッパー２４は、お互いに従来の方法で咬合する咬合部材３０，３２を有する異形材２６，２８で構成されている。
【０００７】
各々の異形材２６，２８は、さらに下向きに延伸しているフランジ３４，３６を含んでいる。フランジ３６はバッグ上面の近位側に永久シール３８によりバッグ背面１４に取りつけられている。フランジ３４は、フランジ３６より長くて、バッグ上面の近位側に永久シール４０により、バッグの前面１２に取りつけられている。フランジ３４は、シール３８の下方に位置する永久シール４２により、バッグ背面１４に取りつけられている。シール３８，４０及び４２が、側面１８から側面２０に延伸していて、そのことにより、ジッパー２４をバッグの巾全長にわたってバッグ１０に取りつけていることが理解される。
【０００８】
バッグ両面１２，１４はパッケージ１０内に製品を入れるための適切なプラスティックフィルム材料で作られている。フランジ３４は同様に、緊締（あるいは接着）層４６に封入されたバリヤー層４４と、シーラント層４８とを具備している、積層体又は一体押出し加工体又は押出し加工多層体で作られてもよい。このような方法でフランジ３４及びバッグ面は、パッケージ１０内における製品の密閉シールを可能にするために、製品を完全に取り囲むバリヤーを維持するべく協働している。さらに、フランジの内層あるいは外層の一方は、必要に応じてバッグ面へのフランジのシールを容易に調節するために、高温用材料で作られてもよい。シーラント層４８はバッグ面に対するフランジのシールを容易にしている。バリヤー層は、水分及び／又は酸素、二酸化炭素、窒素等のような気体がパッケージに入ってくる（あるいは出てゆく）ことを防いでもよくて、必要に応じてパッケージを密閉シールすることを可能にしている。パッケージ中味の密閉シールは、ジッパーとは無関係で、ジッパーが開いていようが閉じていようが、バッグ面とフランジとが健全である限り維持されている。
【０００９】
本発明において弱め線（ｌｉｎｅ  ｏｆ  ｗｅａｋ）５０が、フランジ３４に備えられていて、フランジに沿って咬合部材３２に平行に、延在している。弱め線はフランジ３４に沿って延在するミシン目線５２で構成されてもよい。フランジ３４のバリヤーを確保するためにミシン目線は、前述の米国特許第５０２３１２２号に開示されているように、キャップ層５４でおおわれている。キャップ層は、前述の参照特許に開示されているように、必要とされるバリヤー特性を有していて、ケガキ線あるいは適切な筋目方向（ｇｒａｉｎ  ｏｒｉｅｎｔａｔｉｏｎ）により破れるようになっている。代りに弱め線５０はフランジのバリヤーを貫通せずに、それに向けて延在するげがき線５６で構成されてもよい。どちらの場合においても、所望されるバリヤーはフランジ３４の弱め線にさからうことなく確保されている。
【００１０】
操作において消費者が、最初にジッパーを開いた後で、パッケージ中味に触れる以前に、フランジ３４が現われる。フランジ３４を押し下げるか、又はバッグの上面端部を単純に切り離なすことにより、弱め線は破られ、そのことにより中味に触れることができる。健全なフランジ３４は消費者に、消費者が弱め線を破る以前にパッケージは開封されていないことの証拠を提供する。
【００１１】
消費者がパッケージを容易に開くことができるように、弱め線はフランジ３４のシール位置４０と４２との間、又はバッグ面に対してシール位置４２の近傍に備えてもよい。この点に関してフランジ３４は、Ｖ字の先端に弱め線５０を有する、図６に示めすようなほぼＶ字形の区画に形成されていてもよい。パッケージは、消費者が弱め線を破るために、指をＶ字の先端に沿って単純に移動することにより開かれてもよい。しかしながら、パッケージが高い内圧を受けている場合、弱め線はシール位置４２に向けて移動されてもよくて、そのことにより、弱め線がより大きな内力に耐えることを可能とするヒンジ効果（ｈｉｎｇｅ  ｅｆｆｅｃｔ）が提供される。
【００１２】
このように前述の目的が達成されていることが理解される。開示された本発明における実施の形態において、前述の特許請求の範囲に規定された本発明の範囲を逸脱することなく、修正が行なわれてもよいことは、理解されるべきである。例えばジッパーはスライダーなし操作の構成となっていてもよくて、この第二の実施の形態の場合、指状フランジ（ｆｉｎｇｅｒ  ｆｌａｎｇｅ）が、咬合部材の上方において異形材に備えられてもよい。
【図面の簡単な説明】
【図１】図１は本発明による再閉可能なパッケージの立面図である。
【図２】図２は、図１における線２−２で切断した部分断面図である。
【図３】図３は、図２における線３−３で切断した部分断面図である。
【図４】図４はフランジ断面に沿って延在する弱め線の第一の実施の形態を示めす部分断面図である。
【図５】図５はフランジ断面に沿って延在する弱め線の第二の実施の形態を示めす部分断面図である。
【図６】図６は図２と同様の図であるけれど、弱め線がより長いフランジ部分に形成された先端部に移動されている。
【符号の説明】
１０…パッケージ
１２…前面
１４…背面
１６…底面
２０…側面
２４…ジッパー
２６…異形材
２８…異形材
３０…咬合部材
３２…咬合部材
３４…フランジ
３６…フランジ
【図１】
0003828396.tif 000002
【図２】
0003828396.tif 000003
【図３】
0003828396.tif 000004
【図４】
0003828396.tif 000005
【図５】
0003828396.tif 000006
【図６】
0003828396.tif 000007